(57)【要約】【課題】コモン電圧に対する残留ＤＣ成分の発生を回避して、フリッカや焼きつきなどの発生を確実に回避した液晶表示装置の基準電圧調整方法を得る。【解決手段】液晶表示パネル３０と、記憶装置１１Ａを含み、映像信号Ａに基づき階調表示用の基準電圧ＶＲを生成する表示制御回路１０Ａと、液晶表示パネル３０のコモン電極にコモン電圧を印加するとともに、基準電圧ＶＲに基づく交流駆動信号を液晶表示パネル３０の各画素電極に印加するドライバ回路２０とを備えた、表示制御回路１０Ａの基準電圧調整方法であって、交流駆動信号のフィードバック調整時において、液晶表示パネル３０の実際の表示画像に基づき、表示画像の輝度が目標輝度と一致し、かつフリッカが最小となるように、基準電圧ＶＲに対する補正データをあらかじめ記憶装置１１Ａに格納する調整ステップを有する。【選択図】図１
2008164850.tif 000002
【特許請求の範囲】
【請求項１】
外部から入力される映像信号に基づく画像を表示する液晶表示パネルと、
記憶装置を有する基準電圧生成回路を含み、前記映像信号に基づきＤ／Ａ変換された階調表示用の基準電圧を生成する表示制御回路と、
前記液晶表示パネルのコモン電極にコモン電圧を印加するとともに、前記基準電圧に基づく交流駆動信号を前記液晶表示パネルの各画素電極に印加して前記液晶表示パネルに前記画像を表示させるドライバ回路と、
を備えた液晶表示装置の基準電圧調整方法であって、
前記交流駆動信号のフィードバック調整時において、前記液晶表示パネルの実際の表示画像に基づき、前記表示画像の輝度が目標輝度と一致し、かつフリッカが最小となるように、前記基準電圧に対する補正データをあらかじめ前記記憶装置に格納する調整ステップを有し、
前記映像信号に基づく前記基準電圧は、前記基準電圧生成回路により、前記補正データを用いて補正された後に前記ドライバ回路に出力されることを特徴とする液晶表示装置の基準電圧調整方法。
【請求項２】
前記補正データは、前記交流駆動信号の正極電位および負極電位の両方に対する補正データを含むことを特徴とする請求項１に記載の液晶表示装置の基準電圧調整方法。
【請求項３】
前記調整ステップは、
所定の制御信号により前記液晶表示パネルを駆動するとともに、前記液晶表示パネルの撮像信号をフィーバックしながら、前記コモン電極に印加するコモン電圧を調整するステップと、
各階調ごとの制御信号により前記表示制御回路を駆動するとともに、前記液晶表示パネルの撮像信号をフィードバックしながら、前記コモン電圧および前記交流駆動信号の振幅を調整するステップと、
を含むことを特徴とする請求項１または請求項２に記載の液晶表示装置の基準電圧調整方法。
【発明の詳細な説明】
【技術分野】
【０００１】
この発明は、コモン電極に対して画素電極を正負方向に交流駆動して画像を表示する液晶表示装置の基準電圧調整方法に関し、特に階調表示用の基準電圧（階調基準電圧）に対する補正データが格納された液晶表示装置の基準電圧調整方法に関するものである。
【背景技術】
【０００２】
従来の液晶表示装置は、輝度特性やホワイトバランスの製造ばらつきなどを改善して階調表示性能を向上させるために、表示制御回路内にルックアップテーブル（ＬＵＴ）が設けられており、ＬＵＴ内に階調基準電圧（以下、単に「基準電圧」という）に対する所定の補正データがあらかじめ格納されている（たとえば、特許文献１、特許文献２参照）。
【０００３】
図１０は特許文献１または特許文献２に記載された従来の液晶表示装置の構成を示すブロック図である。図１０において、従来の液晶表示装置１は、Ｄ／Ａ変換器により構成された表示制御回路１０と、ドライバ回路２０と、液晶表示パネル３０とを備えている。
【０００４】
表示制御回路１０は、ルックアップテーブル（ＬＵＴ）からなる記憶装置１１と、基準電圧生成回路１２とを備え、外部から入力される映像信号Ａ（デジタル信号）に基づいて、Ｄ／Ａ変換された表示信号Ｂと階調表示用の基準電圧ＶＲ（アナログ信号）とを生成する。
【０００５】
記憶装置１１内のルックアップテーブルは、映像信号Ａを補正するための補正データをあらかじめ保存しており、入力された映像信号Ａを、補正データで補正し、製造ばらつきなどを修正した映像信号に変換する。基準電圧生成回路１２は、補正後の映像信号に基づいて、階調表示用の基準電圧ＶＲを生成する。
【０００６】
ドライバ回路２０は、液晶表示パネル３０のコモン電極（図示せず）にコモン電圧Ｖｃｏｍを印加するとともに、表示信号Ｂおよび基準電圧ＶＲに基づく交流駆動信号を液晶表示パネル３０の各画素電極に印加して、液晶表示パネル３０に所望の画像を表示させる。
【０００７】
図１１は従来の液晶表示装置１における中心電圧と駆動電圧との関係を図式的に示すタイミングチャートである。図１１において、中心電圧の上下に示した交流駆動用の正極電位（Ｖ＋）および負極電位（Ｖ−）は、液晶表示パネル３０の画素電極（図示せず）に印加される。
【０００８】
正極電位（Ｖ＋）および負極電位（Ｖ−）は、それぞれ、白色表示用の最大電位Ｖ＋ｍａｘ、Ｖ−ｍａｘと、黒色表示用の最小電位Ｖ＋ｍｉｎ、Ｖ−ｍｉｎとの間の任意数の階調電位を有する。画素電極は、たとえば白色表示時には、実線矢印で示すように最大電位Ｖ＋ｍａｘ、Ｖ−ｍａｘの振幅で交流駆動され、また、白色表示時には、２点鎖線矢印で示すように、最小電位Ｖ＋ｍｉｎ、Ｖ−ｍｉｎの振幅で交流駆動される。
【０００９】
図１０および図１１に示すように、液晶表示装置１において、液晶表示パネル３０の画素電極には、映像信号Ａに基づく交流駆動するための正極電位（Ｖ＋）および負極電位（Ｖ−）が、表示制御回路１０およびドライバ回路２０を介して印加される。このとき、表示制御回路１０内の記憶装置１１において、映像信号Ａには、所定の補正データによる補正が施されている。
【００１０】
しかし、所定の補正データのみによる補正では、個々の液晶表示装置１のばらつきを完全に吸収することができず、正極電位（Ｖ＋）と負極電位（Ｖ−）との間にアンバランスが生じ、液晶表示パネル３０での表示画面にフリッカが発生する可能性がある。また、正極電位（Ｖ＋）と負極電位（Ｖ−）とのバランスが悪い状態で交流電圧を印加し続けると、コモン電極と画素電極との間の液晶にＤＣ成分が残り、残留ＤＣ成分により焼きつきが発生する。
【００１１】
特に、図１１から明らかなように、正極電位（Ｖ＋）および負極電位（Ｖ−）は、グランド電位ＧＮＤに対するＤＣ成分が互いに異なることから、液晶表示装置１内の回路インピーダンスによる正極電位（Ｖ＋）および負極電位（Ｖ−）に対する電圧降下成分が非対称となるので、単に補正データによる補正を施しても、交流駆動時の残留ＤＣ成分をなくすことはできない。たとえば、白色表示時における正極の最大電位Ｖ＋ｍａｘでのインピーダンス成分による電圧降下は、負極の最大電位Ｖ＋ｍｉｎでのインピーダンス成分による電圧降下よりも著しく大きくなる。
【００１２】
図１２は従来の基準電圧生成回路１２の構成例を示す回路図である（たとえば、特許文献３参照）。図１２において、基準電圧生成回路１２は、複数の分圧抵抗Ｒ１〜Ｒ５により構成され、各一端から正負極性の基準電圧ＶＲ（８ビットの場合、Ｖ２５５〜Ｖ０）を生成するようになっている。図１２に示すように、固定抵抗値の各分圧抵抗Ｒ１〜Ｒ５からは、固定値の基準電圧ＶＲが生成される。
【００１３】
【特許文献１】特開２００４−０９４０１７号公報
【特許文献２】特開２００４−０６２１８７号公報
【特許文献３】特開２０００−３１０９７７号公報（図２１）
【発明の開示】
【発明が解決しようとする課題】
【００１４】
従来の液晶表示装置の基準電圧調整方法では、製造ばらつきなどを修正するために、記憶装置１１内のＬＵＴ内にあらかじめ所定（固定値）の補正データを格納しているが、映像信号Ａを補正データで変換することのみでは、液晶表示装置１の個々のばらつきや、正極電位（Ｖ＋）および負極電位（Ｖ−）の非対称特性を完全に吸収することができないので、フリッカや焼きつきなどの発生を確実に回避することができないという課題があった。
【００１５】
この発明は、個々の液晶表示装置の実際の表示画面に応じた補正データをあらかじめ格納することにより、コモン電圧に対する残留ＤＣ成分の発生を回避して、フリッカや焼きつきなどの発生を確実に回避した液晶表示装置の基準電圧調整方法を得ることを目的とする。
【課題を解決するための手段】
【００１６】
この発明による液晶表示装置の基準電圧調整方法は、外部から入力される映像信号に基づく画像を表示する液晶表示パネルと、記憶装置を有する基準電圧生成回路を含み、映像信号に基づきＤ／Ａ変換された階調表示用の基準電圧を生成する表示制御回路と、液晶表示パネルのコモン電極にコモン電圧を印加するとともに、基準電圧に基づく交流駆動信号を液晶表示パネルの各画素電極に印加して液晶表示パネルに画像を表示させるドライバ回路と、を備えた液晶表示装置の基準電圧調整方法であって、交流駆動信号のフィードバック調整時において、液晶表示パネルの実際の表示画像に基づき、表示画像の輝度が目標輝度と一致し、かつフリッカが最小となるように、基準電圧に対する補正データをあらかじめ記憶装置に格納する調整ステップを有し、映像信号に基づく基準電圧は、基準電圧生成回路により、補正データを用いて補正された後にドライバ回路に出力されるものである。
【発明の効果】
【００１７】
この発明によれば、個々の液晶表示装置の実際の表示画面に応じた補正データをあらかじめ格納することにより、コモン電圧に対する残留ＤＣ成分の発生を回避して、フリッカや焼きつきなどの発生を確実に回避することができる。
また、所望の明るさが得られるので、輝度特性を改善させることができる。
【発明を実施するための最良の形態】
【００１８】
実施の形態１．
図１はこの発明の実施の形態１が適用される液晶表示装置を示すブロック図である。図１において、前述（図１０参照）と同様のものについては、前述と同一符号を付して、または符号の後に「Ａ」を付して詳述を省略する。
【００１９】
液晶表示装置１Ａは、外部から入力される映像信号Ａに基づく画像を表示する液晶表示パネル３０と、映像信号Ａに基づきＤ／Ａ変換された表示信号Ｂおよび階調表示用の基準電圧ＶＲを生成する表示制御回路１０Ａと、液晶表示パネル３０のコモン電極にコモン電圧Ｖｃｏｍを印加するとともに、基準電圧ＶＲに基づく交流駆動信号を液晶表示パネル３０の各画素電極に印加して液晶表示パネル３０に画像を表示させるドライバ回路２０と、を備えている。
【００２０】
表示制御回路１０Ａは、記憶装置１１Ａを有する基準電圧生成回路１２Ａを含む。記憶装置１１Ａは、液晶表示パネル３０の実際の表示画像に基づく補正データを格納しており、基準電圧生成回路１２Ａは、映像信号Ａに基づく基準電圧ＶＲを、記憶装置１１Ａ内の補正データを用いて補正した後にドライバ回路２０に出力する。記憶装置１１Ａ内の補正データは、交流駆動信号の正極電位（Ｖ＋）および負極電位（Ｖ−）の両方に対する補正データを含む。
【００２１】
また、記憶装置１１Ａ内の補正データは、交流駆動信号のフィードバック調整時（イニシャライズ時）に液晶表示パネル３０および記憶装置１１Ａに接続される制御用パソコン（後述する）からの制御信号により記憶装置１１Ａに格納される。すなわち、記憶装置１１Ａは、液晶表示装置１Ａの出荷前の階調補正（輝度補正）における補正データを保存している。
【００２２】
図２は図１内の基準電圧生成回路１２Ａの構成例示すブロック図である。図２において、基準電圧生成回路１２Ａは、交流駆動信号のフィーバック調整時に制御用パソコン４０（図６とともに後述する）からの制御信号が入力される制御信号インタフェース１５と、記憶装置（レジスタなど）１１Ａの出力端に挿入された複数のゲート回路１６およびバッファアンプ１７とを備えている。
【００２３】
また、図３はこの発明の実施の形態１による交流駆動信号の調整方法をタイミングチャートで示す説明図である。図３において、まず、明るさ調整（輝度調整）を行い、正極電位（＋Ｖ）と負極電位（Ｖ−）とを調整することにより、所望の明るさを得るための輝度特性の最適化が可能となる。
【００２４】
続いて、フリッカ調整を行い、正極電位（Ｖ＋）および負極電位（Ｖ−）を同時に上下いずれかにシフトすることにより、正極電位（Ｖ＋）と負極電位（Ｖ−）との中心電圧のみを調整する。つまり、交流駆動信号の振幅を一定（固定電圧）にして、正極電位（Ｖ＋）および負極電位（Ｖ−）の双方を同じ量だけ上下に可変調整する。
【００２５】
上記２段階の調整方法を両方行うことにより、明るさ（輝度特性）の最適化と、正負極性のバランスの最適化（フリッカの最小化）との両方を実現することができ、残留ＤＣ成分の発生を回避して、焼きつきなどの発生を防止することができる。
【００２６】
次に、図１〜図３とともに、図４〜図９を参照しながら、この発明の実施の形態１に係る液晶表示装置の基準電圧調整方法（交流駆動信号のフィーバック調整時における液晶表示装置１Ａ内の補正データの格納処理）について、さらに具体的に説明する。
【００２７】
図４はこの発明の実施の形態１における調整装置を概略的に示すブロック図であり、交流駆動信号の調整時に用いられる制御基板１３と、ドライバ回路２０に含まれるソースドライバ２１とを示している。なお、表示制御回路１０Ａは、あらかじめ制御基板１３上に実装されてもよい。
【００２８】
制御基板１３は、制御用パソコン４０の制御下で、コモン電圧Ｖｃｏｍと、階調表示用の正極電位（Ｖ＋）および負極電位（Ｖ−）に対応した基準電圧ＶＲとを出力し、ソースドライバ２１を介して液晶表示パネル３０を駆動する。
【００２９】
図５はコモン電圧Ｖｃｏｍと駆動電圧（交流駆動信号）との関係を図式的に示すタイミングチャートであり、コモン電圧Ｖｃｏｍに対する正極電位（Ｖ＋）および負極電位（Ｖ−）の時間変化を示している。また、正極電位（Ｖ＋）および負極電位（Ｖ−）において、最大電位Ｖ＋ｍａｘ、Ｖ−ｍａｘと、最小電位Ｖ＋ｍｉｎ、Ｖ−ｍｉｎとの間に、一例として、イニシャライズ調整時（後述する）に関連した各６段階の基準電圧ＶＲ（破線参照）を示している。
【００３０】
図６はこの発明の実施の形態１におけるコモン電圧Ｖｃｏｍおよび基準電圧ＶＲの調整装置を具体的に示すブロック図である。図６において、交流駆動信号のフィードバック調整時（イニシャライズ時）に用いられる調整装置は、制御用パソコン４０に接続された制御基板１３と、ドライバ回路２０に含まれるソースドライバ２１と、撮像カメラおよびプローブを有するフリッカ測定部４１と、撮像カメラおよびプローブを有する輝度測定部４２とにより構成され、ドライバ回路２０内のソースドライバ２１を介して液晶表示パネル３０に接続される。
【００３１】
図７は図６の調整装置によるコモン電圧Ｖｃｏｍの調整方法を示す説明図であり、デジタル信号の映像信号Ａが８ビットの場合を例にとり、最大電位Ｖ＋ｍａｘ（＋２５５）、Ｖ−ｍａｘ（−２５５）と、最小電位Ｖ＋ｍｉｎ（＋０）、Ｖ−ｍｉｎ（−０）と、フリッカ調整用に上下シフトされるコモン電圧Ｖｃｏｍ（１点鎖線参照）とを示している。
【００３２】
図８は図６の調整装置による階調（基準電圧ＶＲ）の調整方法を示す説明図であり、輝度調整時に振幅が増減シフトされるとともに、フリッカ調整時に上下シフトされる正極電位（Ｖ＋）および負極電位（Ｖ−）を示している。
【００３３】
図９は図６の調整装置によるコモン電圧Ｖｃｏｍおよび基準電圧ＶＲの調整方法を示すフローチャートであり、調整時（初期設定時）における補正データの格納処理手順を示している。液晶表示装置１Ａの調整処理は、図９のように実行される。
【００３４】
図９において、まず、制御用パソコン４０（図６参照）は、初期設定処理により、フリッカ測定部４１および輝度測定部４２の初期化を行う（ステップＳ１）。
【００３５】
続いて、制御信号（たとえば、Ｉ２Ｃ）を表示制御回路１０Ａに出力して液晶表示パネル３０を駆動し、撮像カメラによる撮像信号をフリッカ測定部４１を介してフィードバックしながら、液晶表示パネル３０のコモン電極に印加するコモン電圧Ｖｃｏｍの調整処理を行う（ステップＳ２）。このとき、たとえば８ビットの「２５５」、「０」階調表示で、液晶表示パネル３０の表示画面のフリッカが最初となるように、図７のようにコモン電圧Ｖｃｏｍをシフト調整する。
【００３６】
次に、制御信号（たとえば、Ｉ２Ｃ）を表示制御回路１０Ａに出力して液晶表示パネル３０を駆動し、撮像カメラによる撮像信号をフリッカ測定部４１および輝度測定部４２を介してフィードバックしながら、階調の調整処理を行う（ステップＳ３）。
【００３７】
このとき、正極電位（Ｖ＋）および負極電位（Ｖ−）に対応した各３段階の基準電圧ＶＲ（「２２３」階調、「１９１」階調、「１２７」階調）に対して、図８のシフト調整により輝度調整およびフリッカを調整する。すなわち、液晶表示パネル３０の表示輝度が駆動制御輝度と一致するように、かつ、フリッカが最小となるようにフィードバック調整する。
【００３８】
同様に、正極電位（Ｖ＋）および負極電位（Ｖ−）に対応した各３段階の基準電圧ＶＲ（「６３」階調、「３１」階調、「１」階調）に対して、図８のシフト調整により輝度調整およびフリッカを調整する。
【００３９】
以上のステップＳ２、Ｓ３により、正極電位（Ｖ＋）および負極電位（Ｖ−）に対応した各８段階の基準電圧ＶＲに対する調整が行われ、所望の輝度で、かつフリッカが発生することのない画像を液晶表示パネル３０に表示させるための各基準電圧ＶＲに対する補正データが、液晶表示装置１Ａに固有のデータ値として得られる。
【００４０】
最後に、制御用パソコン４０は、最終的に得られた液晶表示装置１Ａに固有の補正データを、表示制御回路１０Ａ（Ｄ／Ａ変換器）内の記憶装置１１Ａに格納し（ステップＳ４）、図９のイニシャライズ調整処理を終了する。
以下、液晶表示装置１Ａに固有の補正データが格納された表示制御回路１０Ａは、常に所望の輝度でフリッカのない画像を表示することができる。
【００４１】
以上のように、この発明の実施の形態１によれば、外部から入力される映像信号Ａに基づく画像を表示する液晶表示パネル３０と、記憶装置１１Ａを有する基準電圧生成回路１２Ａを含み、映像信号Ａに基づきＤ／Ａ変換された階調表示用の基準電圧ＶＲを生成する表示制御回路１０Ａと、液晶表示パネル３０のコモン電極にコモン電圧Ｖｃｏｍを印加するとともに、基準電圧ＶＲに基づく交流駆動信号を液晶表示パネル３０の各画素電極に印加して液晶表示パネル３０に画像を表示させるドライバ回路２０と、を備えた液晶表示装置１Ａの基準電圧調整方法であって、交流駆動信号のフィードバック調整時において、液晶表示パネル３０の実際の表示画像に基づき、表示画像の輝度が目標輝度と一致し、かつフリッカが最小となるように、基準電圧ＶＲに対する補正データをあらかじめ記憶装置１１Ａに格納する調整ステップを有し、映像信号Ａに基づく基準電圧ＶＲは、基準電圧生成回路１２Ａにより、補正データを用いて補正された後にドライバ回路２０に出力される。
【００４２】
また、補正データは、交流駆動信号の正極電位（Ｖ＋）および負極電位（Ｖ−）の両方に対する補正データを含む。
また、調整ステップは、所定の制御信号により液晶表示パネル３０を駆動するとともに、液晶表示パネル３０の撮像信号をフィーバックしながら、コモン電極に印加するコモン電圧Ｖｃｏｍを調整するステップ（図９内のＳ２）と、各階調ごとの制御信号により表示制御回路１０Ａを駆動するとともに、液晶表示パネル３０の撮像信号をフィードバックしながら、コモン電圧Ｖｃｏｍおよび交流駆動信号の振幅を調整するステップ（図９内のＳ３、Ｓ４）と、を含む。
【００４３】
このように、交流駆動信号のフィーバック調整処理時（イニシャライズ時）に、コモン電圧Ｖｃｏｍを自動調整するとともに、基準電圧ＶＲの正負バランスを調整することにより、液晶表示装置１Ａの製造工数を削減することができる。
また、基準電圧ＶＲの調整機能を有する基準電圧生成回路１２Ａにおいて、液晶表示パネル３０の表示画像の輝度を自動調整することができるので、輝度のばらつきを最小限に抑制して所望の明るさを得ることができる。
【００４４】
また、輝度特性およびフリッカ特性に対する２段階の調整方法を両方行うことにより、明るさ（輝度特性）の最適化と、正負極性のバランスの最適化（フリッカの最小化）との両方を実現することができ、残留ＤＣ成分の発生を回避して、焼きつきなどの発生を防止することができる。
【００４５】
また、輝度調整およびフリッカ調整において、交流駆動信号の正極電位（Ｖ＋）および負極電位（Ｖ−）をペアで最適化することにより、正負極性のバランスが最適化され、より最適な調整を実現することができ、フリッカがさらに改善されるとともに、残留ＤＣ成分がさらに抑制することができる。
【００４６】
また、上記自動調整により、正極電圧（Ｖ＋）および負極電圧（Ｖ−）の補正が可能となり、フリッカが減少して残留ＤＣ成分が発生することがないので、液晶表示パネル３０のフリッカ発生や焼きつきなどの不具合を回避することができる。
【００４７】
また、表示制御回路１０Ａ（Ｄ／Ａ変換器）を制御基板１３上に実装してもよく、この場合、制御基板１３に実装された表示制御回路１０Ａを用いて、コモン電圧Ｖｃｏｍおよび交流駆動信号（データ電圧）を容易に調整することができる。
【００４８】
また、輝度調整時（ステップＳ３）において、正極電位（Ｖ＋）および負極電位（Ｖ−）に対する各基準電圧ＶＲの幅として、それぞれ一例について述べたが、正極性および負極性の幅を任意に調整することができる。また、フリッカ調整時において、正極性および負極性の中心電圧を調整してもよい。
また、記憶装置１１Ａとしては、公知のルックアップテーブル（ＬＵＴ）やＲＯＭなどの任意のメモリ手段が適用され得る。
【００４９】
また、基準電圧ＶＲは、Ｄ／Ａ変換器からなる表示制御回路１０Ａを用いて生成されるので、正極電位（Ｖ＋）と負極電位（Ｖ−）とを独立で制御することができる。
なお、上記実施の形態１では、説明を簡略化するために、Ｄ／Ａ変換器を用いて基準電圧ＶＲを制御したが、必ずしもこの限りではなく、Ｄ／Ａ変換器を用いずに正負極性の電圧を制御しても、同様の効果が得られる。たとえば、それぞれ独立に基準電圧ＶＲを設置してもとく、または、電子回路を用いて基準電圧ＶＲを生成してもよい。
【００５０】
また、上記実施の形態１では、映像信号Ａの補正部分の説明を省略したが、従来装置（図１０参照）と同様に、表示制御回路１０Ａ内に映像信号Ａの補正手段（記憶装置１１）を設け、基準電圧ＶＲのみならず映像信号Ａを補正するように構成してもよい。
さらに、記憶装置１１Ａの機能を実現するために、従来回路（図１２参照）の抵抗Ｒ１〜Ｒ５を可変抵抗で構成してもよい。
【図面の簡単な説明】
【００５１】
【図１】この発明の実施の形態１に係る液晶表示装置の構成を示すブロック図である。
【図２】図１内の基準電圧生成回路の構成例を示すブロック図である。
【図３】この発明の実施の形態１における基準電圧の調整方法をタイミングチャートで示す説明図である。
【図４】この発明の実施の形態１におけるコモン電圧および階調表示用の基準電圧の調整装置を概略的に示すブロック図である。
【図５】この発明の実施の形態１におけるコモン電圧と駆動電圧との関係を図式的に示すタイミングチャートである。
【図６】この発明の実施の形態１におけるコモン電圧および基準電圧の調整装置を具体的に示すブロック図である。
【図７】図６の調整装置によるコモン電圧の調整方法を示す説明図である。
【図８】図６の調整装置による基準電圧の調整方法を示す説明図である。
【図９】図６の調整装置によるコモン電圧および基準電圧の調整方法を示すフローチャートである。
【図１０】従来の液晶表示装置の構成を示すブロック図である。
【図１１】従来の液晶表示装置における中心電圧と駆動電圧との関係を図式的に示すタイミングチャートである。
【図１２】従来の基準電圧生成回路の構成例を示す回路図である。
【符号の説明】
【００５２】
１Ａ  液晶表示装置、１０Ａ  表示制御回路、１１Ａ  記憶装置、１２Ａ  基準電圧生成回路、１３  制御基板、２０  ドライバ回路、２１  ソースドライバ、３０  液晶表示パネル、４０  制御用パソコン、４１  フリッカ測定部、４２  輝度測定部、Ａ  映像信号、Ｖｃｏｍ  コモン電圧、ＶＲ  基準電圧。
【図１】
2008164850.tif 000003
【図２】
2008164850.tif 000004
【図３】
2008164850.tif 000005
【図４】
2008164850.tif 000006
【図５】
2008164850.tif 000007
【図６】
2008164850.tif 000008
【図７】
2008164850.tif 000009
【図８】
2008164850.tif 000010
【図９】
2008164850.tif 000011
【図１０】
2008164850.tif 000012
【図１１】
2008164850.tif 000013
【図１２】
2008164850.tif 000014